(57)【要約】      （修正有）【課題】脳波を利用して、被験者の恋愛度を診断する。【解決手段】恋愛度診断装置２０の中央処理部２４は、θ波及びα波に基づいて特定される被験者のリラックス度合いｆ１と、β波及びγ波に基づいて特定される被験者の集中度合いｆ２とに基づいて評価値Ｅを算出し、この評価値Ｅに基づいて恋愛度を診断している。恋愛感情と相関があるリラックス度合いｆ１及び集中度合いｆ２という２つのパラメーターに着目し、これらを利用することで被験者の恋愛感情を定量的に評価することができる。これにより、被験者の恋愛度を適切に診断することができる。【選択図】図１
2013094181.tif 000002
【特許請求の範囲】
【請求項１】
被験者の脳波に含まれるα波、β波、θ波及びγ波の少なくとも一つに関する情報が入力される入力部と、
前記α波、β波、θ波及びγ波の少なくとも一つに基づいて、恋愛対象者に対する被験者の恋愛度を診断する診断部と、
を有することを特徴とする恋愛度診断装置。
【請求項２】
前記診断部は、前記θ波及びα波の少なくとも一方に基づいて特定される、被験者の精神的なリラックスの程度を定量的に示す値であるリラックス度合いと、前記β波及びγ波の少なくとも一方に基づいて特定される、被験者の精神的な集中の程度を定量的に示す値である集中度合いとに基づいて評価値を算出し、当該評価値に基づいて恋愛度を診断することを特徴とする請求項１に記載された恋愛度診断装置。
【請求項３】
前記診断部は、前記リラックス度合いに対応する第１の重み係数と、前記集中度合いに対応する第２の重み係数とに基づいて重み付けを行った上で、両者の和として前記評価値を算出しており、
前記第１の重み係数は、前記評価値において前記リラックス度合いが前記集中度合いと比べて支配的となるように、前記第２の重み係数との相対的な関係で値が設定されていることを特徴とする請求項２に記載された恋愛度診断装置。
【請求項４】
ユーザーにより操作可能な操作部を備え、
前記診断部は、前記操作部により指定される値に応じて、前記第１の重み係数及び前記第２の重み係数を変更することを特徴とする請求項３に記載された恋愛度診断装置。
【請求項５】
被験者の頭部に装着可能に構成されており、被験者から脳波を測定し、その脳波に含まれるα波、β波、θ波及びγ波の少なくとも一つに関する情報を検出する脳波センサーと、
請求項１から４のいずれかに記載の恋愛度診断装置と、
を有することを特徴とする恋愛度診断システム。
【請求項６】
被験者の脳波から特定されるα波、β波、θ波及びγ波の少なくとも一つに関する情報を取得する第１のステップと、
前記α波、β波、θ波及びγ波の少なくとも一つに基づいて、恋愛対象者に対する被験者の恋愛度合いを診断する第２のステップと、
を有する処理をコンピュータに実行させることを特徴とするコンピュータプログラム。
【発明の詳細な説明】
【技術分野】
【０００１】
本発明は、恋愛度診断装置、恋愛度診断システム及びコンピュータプログラムに関する。
【背景技術】
【０００２】
脳神経細胞の電気的活動は、人間の精神的状態又は生理的状態と相関を有すると考えられており、これを電位変位として捉えた脳波を利用して、被験者の精神的状態や生理的状態を診断する装置が知られている。例えば特許文献１には、脳波解析装置が開示されている。この脳波解析装置によれば、脳波から濾波された２種類以上の所定の周波数帯域の波において、それぞれ平均パワー値を算出し、かつ所定の２種類の組み合わせ毎に平均パワー値の比を算出する。これにより、相互に関連している周波数帯域から得られる生体情報を複合して捉えることとなり、人間の高度な精神状態を評価することができるとしている。
【先行技術文献】
【特許文献】
【０００３】
【特許文献１】特開２００２−５７７号公報
【発明の概要】
【発明が解決しようとする課題】
【０００４】
ところで、恋愛度、すなわち人間が他人に対して抱く恋愛感情の程度は内心の領域にとどまるものであるから、これを客観的に判断することは難しい。また、脳波に人間の精神的状態や生理的状態が現れるとしても、恋愛度に結びつく脳波の利用方法は十分に検討されてないのが現状である。
【０００５】
本発明はかかる事情に鑑みてなされたものであり、その目的は、脳波を利用して、被験者の恋愛度を診断することである。
【課題を解決するための手段】
【０００６】
かかる課題を解決するために、第１の発明は、被験者の脳波に含まれるα波、β波、θ波及びγ波の少なくとも一つに関する情報が入力される入力部と、α波、β波、θ波及びγ波の少なくとも一つに基づいて、恋愛対象者に対する被験者の恋愛度を診断する診断部と、を有することを特徴とする恋愛度診断装置を提供する。
【０００７】
ここで、第１の発明において、診断部は、θ波及びα波の少なくとも一方に基づいて特定される、被験者の精神的なリラックスの程度を定量的に示す値である被験者のリラックス度合いと、β波及びγ波の少なくとも一方に基づいて特定される、被験者の精神的な集中の程度を定量的に示す値である被験者の集中度合いとに基づいて評価値を算出し、当該評価値に基づいて恋愛度を診断することが好ましい。
【０００８】
また、第１の発明において、診断部は、リラックス度合いに対応する第１の重み係数と、集中度合いに対応する第２の重み係数とに基づいて重み付けを行った上で、両者の和として評価値を算出することが好ましい。この場合、第１の重み係数は、評価値においてリラックス度合いが集中度合いと比べて支配的となるように、第２の重み係数との相対的な関係で値が設定されていることが望ましい。
【０００９】
また、第１の発明は、ユーザーにより操作可能な操作部を備えることが好ましい。この場合、診断部は、操作部により指定される値に応じて、第１の重み係数及び第２の重み係数を変更することが望ましい。
【００１０】
また、第２の発明は、被験者の頭部に装着可能に構成されており、被験者から脳波を測定し、その脳波に含まれるα波、β波、θ波及びγ波の少なくとも一つに関する情報を検出する脳波センサーと、第１の発明に記載の恋愛度診断装置と、を有することを特徴とする恋愛度診断システムを提供する。
【００１１】
また、第３の発明は、被験者の脳波から特定されるα波、β波、θ波及びγ波の少なくとも一つに関する情報を取得する第１のステップと、α波、β波、θ波及びγ波の少なくとも一つに基づいて、恋愛対象者に対する被験者の恋愛度合いを診断する第２のステップと、を有する処理をコンピュータに実行させることを特徴とするコンピュータプログラムを提供する。
【発明の効果】
【００１２】
本発明によれば、脳波に含まれる特定の周波数を利用することで被験者の恋愛感情と相関を有する因子を定量的に評価することができるので、被験者の恋愛度を診断することができる。
【図面の簡単な説明】
【００１３】
【図１】恋愛度診断システムの構成を示すブロック図
【図２】中央処理部によって実行される恋愛度診断の手順を示すフローチャート
【発明を実施するための形態】
【００１４】
図１は、本実施形態にかかる恋愛度診断システム１の構成を示すブロック図である。この恋愛度診断システム１は、被験者の脳波に基づいて恋愛度を診断するものあり、脳波センサー１０と、恋愛度診断装置２０とで構成されている。このシステムは、被験者の脳波に着目し、これから恋愛対象者に対する被験者の恋愛度を診断するものであり、好ましくは恋愛対象者を目視した状態での脳波を利用するものとする。ここで、恋愛対象者とは、被験者がすでにその者に対して恋愛感情を抱いているか否かを問題とせず、また、性別等を問わず、恋愛度の診断の対象となる他人を広く含むものであり、さらには、自己愛（ナルシスト（narcissist））といったように被験者自身を含んでもよい。
【００１５】
脳波センサー１０は、検出部１１と、演算部１２とを主体に構成されている。検出部１１は、一対の電極１１ａ，１１ｂを備えており、個々の電極１１ａ，１１ｂは、演算部１２と電気的に接続されている。一対の電極１１ａ，１１ｂは、被験者の頭部に装着されことにより、被験者の頭部から発せられる電気的信号を検出し、これを演算部１２へと出力する。
【００１６】
検出部１１は、少なくとも一つの電極を備えていればよいが、複数の電極を備えることで、脳波の検出精度の向上を図ることができる。本実施形態のように、検出部１１を一対の電極１１ａ，１１ｂで構成した場合、一方の電極１１ａは、例えばヘアバンド等を介して額に装着され、他方の電極１１ｂは、例えばクリップ等を介して耳たぶに装着される。脳波は微弱な信号であるため、検出された電気的信号には、動きや瞬きに伴う筋電図や商用周波数のノイズが混在している。額を通じて検出される信号には生体反応が多く出るが、耳たぶを通じて検出される信号には脳波成分が含まれ難いという傾向がある。そのため、電極１１ａ，１１ｂをつけた額と耳たぶとの間の電位差を測ることにより、ノイズをキャンセルすることができるので、後述する演算部１２により、精度よく脳波を測定することが可能となる。
【００１７】
演算部１２は、検出部１１からの電気信号にＡ／Ｄ変換を施して得られるデジタル信号を所定の周期で読み込み、時系列のデジタル信号として脳波を計測する。演算部１２としては、ＣＰＵ、ＲＯＭ、ＲＡＭ、Ｉ／Ｏインターフェースを主体に構成されたマイクロコンピュータを用いることができる。
【００１８】
演算部１２は、脳波が適切に測定可能であることを判断すると、所定のサンプリング期間（例えば１５秒）にわたり脳波を計測する。また、演算部１２は、測定した脳波に基づいて、θ波、α波、β波、γ波を抽出する。ここで、θ波、α波、β波、γ波は、脳波に含まれる所定の周波数の波を示すものであり、θ波は４〜７Ｈｚの周波数、α波は８〜１２Ｈｚの周波数、β波は１３〜３０Ｈｚの周波数、γ波は３０〜１００ｈｚの周波数に対応する。
【００１９】
演算部１２は、例えば、時間情報を周波数情報に変換するフーリエ変換（高速フーリエ変換等）を用いて各周波数に対応する脳波を抽出する。ここで、θ波は、人間の精神的状態又は生理的状態のうち、眠気や深い瞑想状態などに対応して現れ、α波は、目を閉じている状態や、リラックス状態などに対応して現れる傾向にある。すなわち、θ波又はα波に着目することにより、人間のリラックス状態を定量的に評価することができる。また、β波は、目覚めている状態や集中している状態などに対応して現れ、γ波は、高いレベルで集中している状態などに対応して現れる傾向にある。すなわち、β波又はγ波に着目することにより、人間の精神的な集中状態を定量的に評価することができる。
【００２０】
つぎに、演算部１２は、抽出された各波に基づいて、リラックス度合いｆ１及び集中度合いｆ２を算出する。なお、以下に示すリラックス度合いｆ１及び集中度合いｆ２の算出方法は、その一例を示すものであり、被験者の精神的なリラックス又は集中の程度を定量的に示す値として算出される限り、その方法はいかなる手法をも利用することができる。
【００２１】
リラックス度合いｆ１は、被験者の精神的なリラックスの程度を定量的に示す値（例えば０〜１００までのパーセント表示）であり、この値が高い程、精神活動が低く、くつろいだ状態であることを示し、逆に、この値が低い程、精神活動が高いことを示す。このリラックス度合いｆ１は、抽出された各波のうち、被験者のリラックス状態と相関を有するθ波又はα波に基づいて算出される。
【００２２】
具体的には、演算部１２は、サンプリング期間の初期期間（例えば０秒〜４秒）に計測したα波の周波数の平均値（以下「基準平均値」という）を算出し、この平均値をリラックス度合いｆ１＝５０％として定義する。また、演算部１２は、サンプリング期間の残余期間（４秒〜１５秒）において、脳波の計測毎にα波の周波数の平均値を更新し、更新された平均値と基準平均値との比較において、リラックス度合いｆ１を０％から１００％までの任意の値として算出する。
【００２３】
なお、リラックス度合いｆ１は、α波に代えて、被験者のリラックス状態と相関を有するθ波を利用して算出してもよい。また、リラックス度合いｆ１は、α波及びθ波のそれぞれに基づいて算出し、個々の値の平均値によってもとめてもよいし、一方の値を主たる値として他方の値によって補正・調整してもとめてもよい。
【００２４】
一方、集中度合いｆ２は、被験者の精神的な集中の程度を定量的に示す値であり、この値が高い程、精神的に集中していることを示し、逆に、この値が低い程、精神的に集中していないことを示す。この集中度合いｆ２は、被験者の集中状態と相関を有するβ波又はγ波に基づいて算出される。
【００２５】
具体的には、演算部１２は、サンプリング期間の初期期間（例えば０秒〜４秒）に計測したβ波の周波数の平均値（以下「基準平均値」という）を算出し、この平均値を集中度合いｆ２＝５０％として定義する。また、演算部１２は、サンプリング期間の残余期間（４秒〜１５秒）において、脳波の計測毎にβ波の周波数の平均値を更新し、更新された平均値と基準平均値との比較において、集中度合いｆ２を０％から１００％までの任意の値として算出する。
【００２６】
なお、集中度合いｆ２は、β波に代えて、被験者の集中状態と相関を有するγ波を利用して算出してもよい。また、集中度合いｆ２は、β波及びγ波のそれぞれに基づいて算出し、個々の値の平均値によってもとめてもよいし、一方の値を主たる値として他方の値によって補正・調整してもとめてもよい。
【００２７】
算出されたリラックス度合いｆ１及び集中度合いｆ２は、恋愛度診断装置２０に出力される。なお、演算部１２は、前述のように、サンプリング期間にわたって脳波の計測を行っている間は、その状態を示す信号（以下「測定状態信号」という）を恋愛度診断装置２０に出力することで、これにより、脳波の計測期間を通知することができる。
【００２８】
恋愛度診断装置２０は、脳波センサー１０から出力されたリラックス度合いｆ１及び集中度合いｆ２に基づいて、恋愛対象者に対する被験者の恋愛度を診断する。この恋愛度診断装置２０としては、コンピュータ、スマートフォン、携帯電話、携帯情報端末といった各種の情報機器を用いることができる。
【００２９】
この恋愛度診断装置２０は、入力部２１、メモリ２２、操作表示部２３及び中央処理部２４を主体に構成されており、これらの要素はバスを介して相互に接続されている。
【００３０】
入力部２１は、脳波センサー１０との間で信号の送受信を行うためのインターフェースである。この入力部２１により、被験者の脳波に含まれるα波、β波、θ波及びγ波に関する情報、具体的には、リラックス度合いｆ１及び集中度合いｆ２が取得される。なお、入力部２１と、脳波センサー１０との間の接続は、信号通信用のケーブルを用いる他にも、ＬＡＮ等のネットワークを介して行ってもよい。
【００３１】
メモリ２２は、制御プログラム、装置の処理機能に関する情報などを格納したり、入力部２１から読み込んだデータを一時的に記憶したりする。
【００３２】
操作表示部２３は、例えば、ディスプレイ上に種々の情報を表示したり、また、ディスプレイ上に表示される情報に従い、入力操作を行ったりすることが可能なタッチパネルを用いることができる。例えば、ユーザーは、操作表示部２３上に表示された所定のアイコンや設定画面を操作することにより、恋愛度診断の開始を中央処理部２４に指示したり、各種の設定を中央処理部２４に指示したりすることができる。また、この操作表示部２３は、中央処理部２４に制御されることにより、恋愛度診断の診断結果を表示したりすることができる。
【００３３】
中央処理部２４は、メモリ２２から読み出した制御プログラムに従い、恋愛度診断に関する種々の演算を行う。具体的には、中央処理部２４は、リラックス度合いｆ１及び集中度合いｆ２に基づいて、被験者の恋愛感情を定量的に評価するための評価値Ｅを算出し、この評価値Ｅに基づいて恋愛度を診断する。
【００３４】
本出願人が、１０００人規模の被験者を対象として、被験者の自然状態における脳波と、種々の人物を目視した状態における脳波とをそれぞれ計測し、これらを分析した。かかる分析結果によると、目視した人物に対する好意的な恋愛感情が大きいほど、リラックス度合いｆ１及び集中度合いｆ２が大きな値を示す傾向があることが判明した。そこで、このような知得に基づき、中央処理部２４は、評価値Ｅを下式に基づいて演算する。
【００３５】
（数式１）
Ｅ＝Ａ・ｆ１＋Ｂ・ｆ２
【００３６】
ここで、Ａは、リラックス度合いｆ１に対応する第１の重み係数であり、Ｂは、集中度合いｆ２に対応する第２の重み係数である。すなわち、この評価値Ｅは、基本的には、リラックス度合いｆ１と集中度合いｆ２と和に応じた値として求められ、その値が大きい程、好意的な恋愛感情が大きいことを意味する。また、本実施形態において、この評価値Ｅは、第１の重み係数Ａと第２の重み係数Ｂとに基づいて、リラックス度合いｆ１と集中度合いｆ２とにそれぞれ重み付けを行った上で算出される。
【００３７】
各重み係数Ａ，Ｂは、「０」から「１」までの範囲における実数を任意に設定することができる。前述の検討について、本出願人が更に検証を進めたところ、リラックス度合いｆ１の方が集中度合いｆ２よりも、恋愛感情に対してより顕著な反応を示すことが判明した。そこで、このような知得に基づいて、個々の係数Ａ，Ｂは、評価値Ｅにおいてリラックス度合いｆ１が集中度合いｆ２と比べて支配的となるように、両者の関係が設定されている。本実施形態では、第１の係数Ａとしては「０．７」、第２の係数Ｂとしては「０．３」が設定されており、評価値Ｅは、０から１００までの範囲の値をとり得る。
【００３８】
ただし、リラックス度合いｆ１や集中度合いｆ２に応じた恋愛感情の評価は、前述の如く統計学的な観点から導かれるものであり、被験者に応じて若干の相違等も考えられる。そこで、中央処理部２４は、恋愛度診断の実行に先立ち、操作表示部２３に設定画面を表示し、ユーザーによって第１及び第２の重み係数Ａ，Ｂを任意に設定させてもよい。また、被験者の自然状態における脳波と、種々の人物を目視した状態における脳波とを予め計測し、両者の比較に基づいて、中央処理部２４が第１及び第２の重み係数Ａ，Ｂを自動的に設定してもよい。
【００３９】
中央処理部２４は、評価値Ｅに基づいて恋愛度を決定する。恋愛度は、評価値Ｅをそのまま利用することもできるが、本実施形態では、評価値Ｅに応じて、「嫌い」、「興味なし」、「まあまあ」、「好き」及び「大好き」といった、ユーザーが感覚的に認識し得るワードとして恋愛度を診断する。例えば、評価値Ｅを０から１００にかけて５つのグループに分け、評価値Ｅとして０から１９を含むグループは「嫌い」に、評価値Ｅとして２０から３９を含むグループは「興味なし」に、評価値Ｅとして４０から５９を含むグループは「まあまあ」に、評価値Ｅとして６０から７９を含むグループは「好き」に、評価値Ｅとして８０から１００を含むグループは「大好き」にと関連付けておくといった如くである。そして、中央処理部２４は、算出された評価値Ｅに該当するグループを特定し、特定されたグループに関連付けられたワードを恋愛度として決定する。
【００４０】
図３は、中央処理部２４によって実行される恋愛度診断の手順を示すフローチャートである。このフローチャートに示す処理は、操作表示部２３に表示されるアイコンをタップするといったように、ユーザーによる恋愛度診断の開始指示をトリガーとして実行される。なお、恋愛度診断の開始指示は、被験者の頭部に脳波センサー１０を装着した状態を前提行われることとし、また、この開始指示後、或いは、開始指示に先立ち、被験者が恋愛対象者を目視していることが好ましい。
【００４１】
まず、ステップ１（Ｓ１）において、中央処理部２４は、測定状態信号が入力されたか否かを判断する。このステップ１において肯定判定された場合、すなわち、測定状態信号が入力された場合には、ステップ２に進む。一方、ステップ１において否定判定された場合、すなわち、測定状態信号が入力されない場合には、ステップ１の処理に戻る。なお、このステップ１において否定判定された回数が所定の上限値に到達した場合には、脳波センサー１１が適切に装着されていない可能性があるので、本処理を終了することが望ましい。この際、中央処理部２４は、脳波センサー１０の再装着を促す旨のメッセージを操作表示部２３に表示してもよい。
【００４２】
ステップ２（Ｓ２）において、中央処理部２４は、脳波測定中である旨のメッセージを操作表示部２３に表示する。この表示は、後述するステップ３において肯定判定がなされるまで継続される。
【００４３】
ステップ３（Ｓ３）において、中央処理部２４は、入力部２１を介して、測定データであるリラックス度合いｆ１及び集中度合いｆ２を取得したか否かを判断する。このステップ３において肯定判定された場合、すなわち、入力部２１を介して測定データを取得した場合には、ステップ４に進む。一方、ステップ３において否定判定された場合、すなわち、入力部２１に測定データが入力されない場合には、ステップ２の処理に戻る。なお、このステップ３において否定判定された回数が所定の上限値に到達した場合には、脳波の測定が適切に完了していない可能性があるので、本処理を終了すること望ましい。この際、中央処理部２４は、脳波測定のやり直しを促すメッセージを操作表示部２３に表示してもよい。
【００４４】
ステップ４（Ｓ４）において、中央処理部２４は、恋愛度を診断する。具体的には、リラックス度合いｆ１及び集中度合いｆ２に基づいて、評価値Ｅを算出する。評価値Ｅの算出手法は、前述の数式１を利用することができる。そして、中央処理部２４は、算出された評価値Ｅに基づいて恋愛度を決定する。すなわち、中央処理部２４は、「嫌い」、「興味なし」、「まあまあ」、「好き」及び「大好き」のなかから、評価値Ｅに関連付けられたワードを恋愛度として決定する。
【００４５】
ステップ５（Ｓ５）において、中央処理部２４は、診断された恋愛度を操作表示部２３に表示し、その後、本処理を終了する。
【００４６】
このように本実施形態において、恋愛度診断装置２０の中央処理部２４は、θ波又はα波に基づいて特定される被験者のリラックス度合いｆ１と、β波又はγ波に基づいて特定される被験者の集中度合いｆ２とに基づいて評価値Ｅを算出し、この評価値Ｅに基づいて恋愛度を診断している。
【００４７】
かかる構成によれば、恋愛感情と相関がある脳波の特定の周波数の波、具体的には、リラックス度合いｆ１及び集中度合いｆ２という２つのパラメーターに着目し、これらを利用することで被験者の恋愛感情を定量的に評価することができる。これにより、被験者の恋愛度を適切に診断することができる。
【００４８】
また、本実施形態において、中央処理部２４は、リラックス度合いｆ１に対応する第１の重み係数Ａと、集中度合いｆ２に対応する第２の重み係数Ｂとに基づいて重み付けを行った上で、評価値Ｅを算出している。この場合、第１の重み係数Ａは、評価値Ｅにおいてリラックス度合いｆ１が集中度合いｆ２と比べて支配的となるように、第２の重み係数Ｂとの相対的な関係で値が設定されている。
【００４９】
前述のように、リラックス度合いｆ１及び集中度合いｆ２の双方のパラメーターのうち、リラックス度合いｆ１の方が集中度合いｆ２よりも恋愛感情に対してより顕著な反応を示す傾向がある。そのため、評価値Ｅにおいてリラックス度合いｆ１が集中度合いｆ２と比べて支配的となるようにすることで、恋愛感情に起因する脳波成分が評価値Ｅに反映されやすくなる。これにより、被験者の恋愛度を適切に診断することが可能となる。
【００５０】
また、本実施形態において、中央処理部２４は、操作表示部２３により指定される値に応じて、第１及び第２の重み係数Ａ，Ｂを変更することができる。かかる構成によれば、被験者の個性に応じて診断感度を変更することができるので、より多くのユーザーが本装置２０を利用して恋愛度を精度よく診断することができ、商品訴求力の向上を図ることができる。
【００５１】
なお、本実施形態では、評価値Ｅの算出をリラックス度合いｆ１及び集中度合いｆ２の双方に基づいて算出しているが、リラックス度合いｆ１又は集中度合いｆ２のみに基づいて評価値Ｅを算出してもよい。また、脳波センサーが備える演算機能は、恋愛度診断装置が実行してもよく、脳波センサーは単に脳波を検出したり、各周波数の波を抽出したりするのみであってもよい。すなわち、本実施形態の恋愛度診断装置２０は、脳波に含まれるα波、β波、θ波及びγ波の少なくとも一つに関する情報が入力され、このα波、β波、θ波及びγ波の少なくとも一つに基づいて、恋愛対象者に対する被験者の恋愛度を診断する、ことを本質とするものである。
【００５２】
以上、本発明の実施形態にかかる恋愛度診断システムについて説明したが、本発明は上述した実施形態に限定されることなく、その発明の範囲内において種々の変形が可能であることはいうまでもない。例えば、恋愛度診断装置は、脳波センサーとセットで利用する必要はなく、ネットワークを介して送信される測定データ、又は、フラッシュメモリ等の可搬型の情報記録媒体に予め計測されて記憶された測定データを入力するようにしてもよい。また、診断に供する脳波の測定においては、被験者が恋愛対象者を直接的に目視することが好ましいが、写真や映像に映し出された恋愛対象者を間接的に目視した状態であったり、恋愛対象者を内心において想像するといった状態であったりしてもよい。また、恋愛度診断システムを構成する恋愛度診断装置、及び、前述の恋愛度診断方法をコンピュータに実行させるコンピュータプログラムも、本発明の一部として機能する。
【符号の説明】
【００５３】
１    恋愛度診断システム
１０    脳波センサー
１１    検出部
１１ａ  電極
１１ｂ  電極
１２    演算部
２０    恋愛度診断装置
２１    入力部
２２    メモリ
２３    操作表示部
２４    中央処理部
【図１】
2013094181.tif 000003
【図２】
2013094181.tif 000004